(57)【要約】      （修正有）【課題】成長に必要な肥料や土質改善剤用量を混入させることが可能であると共に、設置時の安定性が高く、且つ雑草侵入による育成障害を防止しうる苗木育成用保護具を提供する。【解決手段】一枚の紙素材シートによって筒体に形成され、筒体の外周面部には、透光及び通風用の複数の孔部が配置され、筒体の軸方向下半部を土中に埋設することによって、種子が播かれた土壌を周囲の土壌から隔離しうると共に、風雨による衝撃から苗木を保護しうる。筒体は円筒形であると共に、筒体の軸方向上端部には、筒体の周方向に沿って複数の切り込みが設けられ、隣接する切込みによって形成された舌片部を筒体の径方向外方に折曲して拡開させることによって、雑草侵入防止部が形成される。【選択図】図３
0003154908.tif 000002
【実用新案登録請求の範囲】
【請求項１】
一枚の紙素材シートによって筒体に形成され、上記筒体の外周面部には、透光及び通風用の複数の孔部が配置されると共に、上記筒体の軸方向下半部を土中に埋設することによって、種子が播かれた土壌を周囲の土壌から隔離しうると共に、風雨による衝撃から苗木を保護しうる苗木育成用保護具において、
上記筒体の軸方向上端部には、上記筒体の周方向に沿って、筒体の軸方向に沿って形成された複数の切り込みが設けられ、
隣接する上記切込みによって形成された舌片部を上記筒体の径方向外方に折曲して拡開させることによって、雑草侵入防止部が形成されることを特徴とする苗木育成用保護具。
【請求項２】
上記筒体の孔部は上記筒体の軸方向上半部において不規則に配置されていることを特徴とする請求項１に記載の苗木育成用保護具。
【請求項３】
上記筒体において、上記筒体の軸方向下半部表面には、逆Ｔ字形の切り込みが周方向に沿って複数設けられていることを特徴とする請求項１または２いずれか１項記載の苗木育成用保護具。
【請求項４】
上記逆Ｔ字形の切り込みの縦辺の上端部及び横辺両端部には、上記切り込みに連設する孔部が夫々設けられていることを特徴とする請求項３記載の苗木育成用保護具。
【考案の詳細な説明】
【技術分野】
【０００１】
本考案は、播かれた種子及び苗木を風雨及び雑草から保護しうる苗木育成用保護具に関する。
【背景技術】
【０００２】
畑等において、作物の種子を直播きして育成する場合、予め、畑全体を耕作しておく必要があると共に、肥料等を用いる場合は、畑全体の土壌に肥料等を混合させる必要があった。
また、苗を育成する場合は、雑草による苗の育成障害が発生しないよう、逐次雑草を除去する必要があり、非常に手間がかかるという問題を有していた。
更に、畑全体の土壌に肥料等を混入する必要があることから、肥料等使用使用量が増大し、高コストであると共に、余分な肥料が流出する等によって、環境悪影響を与える虞があった。
【０００３】
また、山野において新たに植林を行う場合は、別途、種苗メーカーから、所定の大きさまで育成された苗木を入手し、上記苗木を播植する方法が一般的である。
しかしながら、上記苗木を山野の傾斜地等に直接播植した場合は、苗木の根付が十分に確保される前に、風雨等によって、周囲の土砂が流されて根が露呈し、苗木が倒れてしまう虞があった。
【０００４】
上記の諸問題を解決するため、図４に示すように、略扇型に形成された一枚の紙素材シート４１の周方向一端部４２に形成された係止部４３、４４、４５を、周方向他端部４６に形成された切り込み４７、４８、４９に夫々挿入し、係止部５０、５１を上記切り込み４７、４８の端部に係合することによって、図５に示すように、下方に向かって次第に細径となるテーパー状の本体５２に形成されると共に、上記本体５２の外周面部には、透光及び通風用の複数の孔部５３が上記本体５２の軸方向及び周方向に沿って規則的に配置された苗木育成用保護具４０が提案されている（特許文献１）。
【０００５】
図６に示すように、上記特許文献に係る苗木育成用保護具４０の上記本体５２の一部を土中に埋設し、上記本体５２の内側には苗木５４が播植される。
上記本体５２の土中に埋設されている部位５５には、上記本体５２の周方向に沿って、複数の切り込み５６が形成されている。
図５に示すように上記切り込み５６は、略冂字形に形成され、図６に示すように上方側を径方向外方に向かって折曲することによって、舌片部５７と根の張り出し用孔部５８とが形成される。
【０００６】
図６に示すように、上記特許文献１に係る苗木育成用保護具４０にあっては、苗木５４の周囲が上記本体５２によって囲まれることから、風雨によって苗木が倒れることを防止しうると共に、上記本体５２の土中に埋設されている部位５５によって、苗木の根周りの土壌５９を保護し、雨等による流出を防止することが可能となる。
また、上記本体５２が図４に示すように１枚の紙素材シート４１から形成されていることから、苗木が所定の大きさに成長する期間の間に、土中のバクテリア等によって分解されるため、別途ゴミとして処理する必要が無い。
【０００７】
しかしながら、図５に示すように、上記特許文献１に係る苗木育成用保護具４０の本体５２は、下方に向かって次第に細径となるテーパー状の裁頭円錐形に形成されていることから、下半部を埋設した場合、上半部の方が下半部よりも重量が大きい為、安定性に欠けると共に、図６に示すように本体５２の土中に埋設されている部位５５の内側体積が小さく、上記土壌５９に十分な肥料を混入することができないという不具合を有していた。
また、上記本体５２の上端部から、上記本体５２の周囲に生えている雑草等が侵入することによって、苗木の育成が妨げられる虞があるという不具合をも有していた。
また、図５に示すように、上記複数の孔部５３は本体５２の長さ方向及び周方向に沿って規則的に配置されていることから、採光、及び通風可能な方向が限定され、十分な採光及び通風状態を確保できないという別途の不具合を有していた。
また、上記根の張り出し用孔部５８は舌片部５７の上方側が開放されて形成されることから、根の成長する方向と、上記孔部５８の開口する方向とが異なる。
従って、根の成長過程において、上記舌片部５７に根が当たり成長が妨げられる虞があった。
【特許文献１】特開平１１−２６６７２１号公報
【考案の開示】
【考案が解決しようとする課題】
【０００８】
本考案は上記課題を解決し、成長に必要な肥料や土質改善剤用量を混入させることが可能であると共に、設置時の安定性が高く、且つ雑草侵入による育成障害を防止しうる苗木育成用保護具を提供することにある。
また、本考案の別途の課題は、苗木に対して十分な採光と通風を確保し、苗木の成長を促進させることが可能な苗木育成用保護具を提供することにある。
また、本考案の更なる課題は、根の張り出しを妨げず、根の育成を障害することのない苗木育成用保護具を提供することにある。
【課題を解決するための手段】
【０００９】
上記課題を解決するために、請求項１に記載の苗木育成用保護具は、一枚の紙素材シートによって筒体に形成され、上記筒体の外周面部には、透光及び通風用の複数の孔部が配置されると共に、上記筒体の軸方向下半部を土中に埋設することによって、種子が播かれた土壌を周囲の土壌から隔離しうると共に、風雨による衝撃から苗木を保護しうる苗木育成用保護具において、上記筒体の軸方向上端部には、上記筒体の周方向に沿って複数の切り込みが設けられ、隣接する上記切込みによって形成された舌片部を上記筒体の径方向外方に折曲して拡開させることによって、雑草侵入防止部が形成されることを特徴とする。
【００１０】
従って、苗木育成用保護具の周縁に生えた雑草は、上記雑草侵入防止部に誘導され、上記筒体の径方向外方に向かって伸びることから、上記筒体の内部に上記雑草が侵入することがない。
【００１１】
また、請求項２に記載の苗木育成用保護具は、上記筒体の孔部は上記筒体の軸方向上半部において不規則に配置されていることを特徴とする。
従って、風向き、及び太陽光の照射方向を問わず、上記筒体内部に常に一定の空気流入と、日差しを確保することが可能となる。
【００１２】
また、請求項３に記載の苗木育成用保護具は、上記筒体において、上記筒体の軸方向下半部表面には、逆Ｔ字形の切り込みが周方向に沿って複数設けられていることを特徴とする。
従って、根の成長に伴って上記切り込みが筒体内方から押されて左右に拡開して、孔部が形成され、上記孔部を介して根が上記筒体の径方向外方に向かって成長することができる。
【００１３】
また、請求項４に記載の苗木育成用保護具は、上記逆Ｔ字形の切り込みの縦辺の上端部及び横辺両端部には、上記切り込みに連設する孔部が夫々設けられていることを特徴とする。
従って、上記筒体の内側から上記逆Ｔ字形切り込みが押圧された場合、上記縦辺部と横辺部で区切られた舌片部が、縦辺の上端部の孔部と横辺の両端部の孔部を結ぶ折れ線を介して、上記筒体の径方向外方に向かって拡開し、根の張り出し用孔部が形成される。
【考案の効果】
【００１４】
請求項１の考案にあっては、上記筒体の長さ方向一端部には、上記筒体の周方向に沿って複数の切り込みが設けられ、隣接する上記切込みによって形成された舌片部を上記筒体の径方向外方に折曲して拡開させることによって、雑草侵入防止部が形成される。
円筒形であることから、土中に埋設される軸方向下半部の内側体積も大きく確保できるため埋設された軸方成長に必要な肥料や土質改善剤用量を混入させることが可能であると共に、設置時の安定性が高くなる。
また、上記雑草侵入防止部によって、雑草侵入による育成障害を防止しうる苗木育成用保護具を提供することが可能となる。
【００１５】
また、請求項２の考案にあっては、上記筒体の孔部は上記筒体の外周面部において不規則に配置されていることから、苗木に必要な日差しを確保すると共に、常に新鮮な空気を流入させることができる。
従って、請求項１の考案の効果に加え、苗木に対して十分な採光と通風を確保し、苗木の成長を促進させることが可能な苗木育成用保護具を提供することが可能となる。
【００１６】
また、請求項３の考案にあっては、上記筒体において、土中に埋設される部位の外周面部には、逆Ｔ字形の切り込みが周方向に沿って複数設けられていることから、苗木の根によって、上記筒体の内側から上記切り込みが押圧された場合、上記切り込みの縦辺上端と、横辺の両端を夫々結んだ線を折れ線として、上記逆Ｔ字形切り込みが上記筒体の径方向外方に折曲して拡開し、根の張り出し用孔部が形成される。
従って、根の自然な張り出しを妨げず、根の育成を障害することのない苗木育成用保護具を提供することが可能となる。
【００１７】
また、請求項４の考案にあっては、上記逆Ｔ字形の切り込みの縦辺の上端部及び横辺両端部には、上記切り込みに連設する孔部が夫々設けられていることから、上記筒体の内側から上記逆Ｔ字形切り込みが押圧された場合、舌片部が縦辺の上端部の孔部と横辺の両端部の孔部を結ぶ折れ線を介して、上記筒体の径方向外方に向かって拡開し、根の張り出し用孔部が形成される。
また、この際、上記孔部によって、上記逆Ｔ字形の切り込みの端部にかかる力が分散され、上記切り込み端部が裂けにくく、上記舌片部が拡開され易くなる。
従って、請求項３の効果に加え、逆Ｔ字形の切込みが拡開し易いことから、根の張り出しが容易となり、根の成長をより促進させることが可能となる。
【図面の簡単な説明】
【００１８】
【図１】本考案の一実施の形態を示し、実施例の形態に係る苗木育成用保護具の展開状態を示す平面図である。
【図２】本考案の一実施の形態を示し、実施例の形態に係る苗木育成用保護具の側面図である。
【図３】本考案の一実施の形態を示し、実施例の形態に係る苗木育成用保護具の一部を土中に埋め込んだ状態を示す透過側面図である。
【図４】従来の肥苗木育成用保護具の展開状態を示す平面図である。
【図５】従来の肥苗木育成用保護具の側面図である。
【図６】従来の肥苗木育成用保護具の一部を土中に埋め込んだ状態を示す透過側面図である。
【考案を実施するための最良の形態】
【００１９】
以下本考案の実施するための形態について添付図面を用いて説明する。
本実施例にかかる苗木育成用保護具１０は、図１に示すように、一枚の紙素材シート１１によって図２に示すように、円筒形の筒体１２に形成され、上記筒体１２の軸方向上半部の外周面部には、透光及び通風用の複数の孔部１３が配置されている。
また、図２に示すように、上記筒体１２の軸方向上端部には、上記筒体１２の周方向に沿って、筒体の軸方向に沿って上端から所定寸法に亘り複数の切り込み１４が設けられ、隣接する上記切込み１４、１４によって形成された舌片部１７を上記筒体１２の径方向外方に折曲して拡開させることによって、図３に示すように、雑草侵入防止部１６が形成される。
また、図２に示すように、上記筒体１２において、土中に埋設される軸方向下半部の外周面部には、逆Ｔ字形の切り込み１８が周方向に沿って複数設けられている。
また、図２に示すように、上記逆Ｔ字形の切り込み１８の縦辺の上端部及び横辺１８ｂの両端部には、上記切り込みに連設する孔部１９ａ、１９ｂ、１９ｃが夫々設けられている。
【実施例１】
【００２０】
上記形態の実施例の構成について、以下添付図面を用いて詳細に説明する。
図１は、本実施例に係る苗木育成用保護具１０を組み立て前の展開状態を示す平面図である。
図１に示すように、本実施例に係る苗木育成用保護具１０を展開した紙素材シート１１は、所定の厚さ寸法を有するボール紙、段ボール等の厚紙からなり、全体略長方形に形成されている。
【００２１】
上記紙素材シート１１の長さ方向一端部１５の幅方向両端部には、長さ方向外方に突出する係止部２１、２２が形成されている。
【００２２】
また、上記紙素材シート１１の長さ方向他端部２０近傍において、上記係止部２１、２２に対応する幅方向両端部には、上記係止部２１、２２を挿入しうるスリット部２３、２４が形成されている。
また、上記係止部２１、２２は、両端部に係止片２１ａ、２１ｂ、及び２２ａ、２２ｂを夫々有し、上記スリット部２３、２４は、上記係止部２１、２２の幅寸法よりもやや小さな長さ寸法に形成されている。
【００２３】
また、図１に示すように、透光及び通風用の複数の孔部１３は、上記紙素材シート１１の幅方向略中央部から幅方向一端部２５にかけての面部に不規則に配置され、夫々径寸法約１ｃｍの平面円形状に形成されている。
【００２４】
また、図１に示すように、上記逆Ｔ字形の切り込み１８は、上記紙素材シート１１の幅方向略中央部から幅方向他端部２６かけての面部において、上記紙素材シート１１の長さ方向に沿って所定寸法離間して３箇所に配置されている。
【００２５】
また、上記逆Ｔ字形の切り込み１８の縦辺１８ａの上端部、及び横辺１８ｂの両端部に連設する孔部１９ａ、１９ｂ、１９ｃは、夫々径寸法約３ｍｍの平面円形状に形成されている。
【００２６】
また、図１に示すように、上記切込み１４は、上記紙素材シート１１の幅方向一端部２５において長さ方向に沿って約２ｃｍずつ離間して設けられると共に、上記切り込み１４の深さ寸法は約２ｃｍに形成されている。
従って、隣接する上記切り込み１４で形成される舌片部１７は、一辺が約２ｃｍの正方形に形成される。
【００２７】
図１に示す紙素材シート１１から、本実施例に係る苗木育成用保護具１０を組み立てる場合、図２に示すように、上記係止部２１、２２を上記スリット部２３、２４に挿入し、上記係止片２１ａ、２１ｂ及び２２ａ、２２ｂを夫々上記スリット部２３、２４の端部に係止することによって、円筒形筒体１２からなる苗木育成用保護具１０が形成される。
【００２８】
図２に示すように、本実施例に係る苗木育成用保護具１０の上記透光及び通風用の複数の孔部１３は、上記筒体１２の軸方向上半部の外周面部に不規則に配置されると共に、上記逆Ｔ字形切込み１８は、上記筒体１２の軸方向下半部の外周面部において、夫々周方向に９０度ずつ離間して配置されている。
【００２９】
以下、本実施例に係る苗木育成用保護具１０の使用方法について、添付図面を用いて説明する。
図３は、本実施例に係る苗木育成用保護具１０の軸方向下半部を地面３３内に埋設した状態を示す側方断面図である。
図３に示すように、筒体１２の内側には、予め肥料等を混入させた土２７充填し、上記土２７に種子若しくは苗木２８を播植する。
この際、上記筒体１２が円筒形に形成されていることから、図６に示す従来の苗木育成用保護具４０と比して、土中に埋設される軸方向下半部の内側部分の体積を大きく確保することできるため、上記土２７に十分な量の肥料等を混入することが可能であると共に、埋設時における上記筒体１２の安定性も良好となる。
【００３０】
更に、上記筒体１２の上端部の切り込み１４によって形成された舌片部１７を、上記筒体１２の径方向外方に向かって拡開するように折り曲げることによって、上記筒体１２の上端部には、上記筒体１２の径方向外方に突出する雑草侵入防止部１６が形成される。
従って、上記筒体１２の外側に雑草が成長した場合であっても、上記雑草侵入防止部１６に上記雑草が突き当たることで、図３中の矢印Ａの方向に雑草の成長が誘導されることから、上記雑草が上記筒体１２の上端開口部３４を塞いで、苗木２８への日照、及び通気が妨げられる事態を防止しうる。
【００３１】
また、苗木２８の成長に伴い、土２７中の根２９が伸延し、上記筒体１２の内側から上記逆Ｔ字形切り込み１８が押圧した場合、上記逆Ｔ字形切り込み１８の縦辺１８ａと横辺１８ｂで区切られた舌片部３１、３２が、上記孔部１９ａと１９ｂ、及び１９ａと１９ｃを結ぶ折れ線３５ａ、３５ｂを介して、上記筒体１２の径方向外方に向かって拡開され、根の張り出し用孔部３０が形成される。
【００３２】
図６に示すように、従来の苗木育成用保護具４０の場合、根の張り出し用孔部５８は、舌片部５７が上方に向かって開放されて形成していることから、根の成長方向（斜め下方）と、上記孔部５８の開口方向（斜め上方）とが異なるため、上記孔部５８から根が張り出し難い。
しかしながら、本実施例においては、図３に示すように、上記舌片部３１、３２が径方向外方に向かって拡開ことから、上記根の張り出し用孔部３０は上記筒体１２の径方向に開口する。
従って、上記根２９は、上記根の張り出し用孔部３０を介して、自然に伸延することが可能であり、上記根２９の成長がより促進される。
【００３３】
なお、筒体１２の径寸法は、播植する苗木の種類、播植場所に応じて自由に変更することが可能である。
上記変更は、図１に示す紙素材シート１１の長さ方向寸法を変更することにより極めて容易に行うことが可能である。
また、透光及び通風用の複数の孔部１３の大きさ又は数、及び逆Ｔ字形切り込み１８の大きさ又は数を、播植する苗木の種類、及び播植場所の自然条件等に従って、適宜変更した場合であっても、本実施例と同様の作用及び効果を得ることが可能である。
【産業上の利用可能性】
【００３４】
本考案は、播かれた種子及び苗木を風雨及び雑草から保護しうる苗木育成用保護具に適用可能である。
【符号の説明】
【００３５】
１０  苗木育成用保護具  
１１  紙素材シート
１２  筒体
１３  透光、通風用の孔部  
１４  切り込み
１５  紙素材シートの長さ方向一端部
１６  雑草侵入防止部
１７  舌片部  
１８  逆Ｔ字形の切込み
１８ａ逆Ｔ字形の切込み縦辺
１８ｂ逆Ｔ字形の切込み横辺
１９ａ孔部
１９ｂ孔部
１９ｃ孔部
２０  紙素材シートの長さ方向他端部
２１  係止部
２１ａ係止片
２１ｂ係止片  
２２  係止部
２２ａ係止片
２２ｂ係止片
２３  スリット部
２４  スリット部
２５  紙素材シートの幅方向一端部
２６  紙素材シートの幅方向他端部
２７  土
２８  苗木
２９  根
３０  根張り出し用孔部
３１  舌片部
３２  舌片部
３３  地面
３４  筒体の上端開口部
３５ａ折れ線
３５ｂ折れ線
４０  苗木育成用保護具  
４１  紙素材シート  
４２  紙素材シートの周方向一端部
４３  係止部
４４  係止部
４５  係止部
４６  紙素材シートの周方向他端部
４７  切り込み
４８  切り込み
４９  切り込み
５０  係止部
５１  係止部
５２  本体
５３  透光及び通風用の孔部
５４  苗木
５５  筒体の土中に埋設されている部位
５６  切り込み
５７  舌片部
５８  根張り出し用孔部
５９  土壌
【図１】
0003154908.tif 000003
【図２】
0003154908.tif 000004
【図３】
0003154908.tif 000005
【図４】
0003154908.tif 000006
【図５】
0003154908.tif 000007
【図６】
0003154908.tif 000008